(57)【要約】【課題】第二加熱手段で生成した湯をより有効に活用できるハイブリッド給湯システムを提供する。【解決手段】ハイブリッド給湯システム１は、給湯負荷に接続される第一タンク３と、第一タンク３の水を加熱する第一加熱手段（ボイラ２、ボイラ循環流路１３、ボイラ循環ポンプ１４）と、給水流路１０を介して給水源に接続される第二タンク５と、第二タンク５の水を加熱する第二加熱手段（ヒートポンプ装置６、ヒートポンプ循環流路７、ヒートポンプ循環ポンプ８）と、第二タンク５の水を第一タンク３へ導くタンク間流路１１と、給水流路１０から分岐し、タンク間流路１１とは別に第一タンク３に接続されるバイパス流路２０と、バイパス流路２０を開閉する開閉弁２１と、バイパス流路２０に設けられ、第一タンク３から給水流路１０へ水を送るポンプ（バイパスポンプ２２）と、を備える。【選択図】図１
2016040498.tif 000002
【特許請求の範囲】
【請求項１】
給湯負荷に接続される第一タンクと、
前記第一タンクの水を加熱する第一加熱手段と、
給水流路を介して給水源に接続される第二タンクと、
前記第二タンクの水を加熱する第二加熱手段と、
前記第二タンクの水を前記第一タンクへ導くタンク間流路と、
前記給水流路から分岐し、前記タンク間流路とは別に前記第一タンクに接続されるバイパス流路と、
前記バイパス流路を開閉する開閉弁と、
前記バイパス流路に設けられ、前記第一タンクから前記給水流路へ水を送るポンプと、
を備えるハイブリッド給湯システム。
【請求項２】
前記開閉弁を開き、前記ポンプを働かせたとき、前記第一タンクの水が前記バイパス流路及び前記給水流路を通って前記第二タンクへ移送されるとともに前記第二タンクの水が前記タンク間流路を通って前記第一タンクへ移送される請求項１に記載のハイブリッド給湯システム。
【請求項３】
前記第一タンクまたは前記第二タンクの状態に応じて、前記第一加熱手段、前記第二加熱手段、前記開閉弁、及び前記ポンプの動作を制御する制御手段を備える請求項１または請求項２に記載のハイブリッド給湯システム。
【請求項４】
前記制御手段は、前記第二タンクの残湯量または蓄熱量が閾値以下になった場合には、前記開閉弁を開き、前記第二加熱手段を働かせて前記第二タンクの水を加熱する請求項３に記載のハイブリッド給湯システム。
【請求項５】
前記制御手段は、前記第二タンクの貯湯量または蓄熱量が閾値以上になった場合には、前記開閉弁を開き、前記ポンプを働かせることで、前記第一タンクの水と、前記第二タンクの水とを入れ替える動作を行う請求項３に記載のハイブリッド給湯システム。
【請求項６】
前記制御手段は、前記第二タンクまたは前記第二加熱手段が故障またはメンテナンスの状態の場合に、前記開閉弁を開くことで、前記給水源から前記バイパス流路を経由して前記第一タンクへ給水させる請求項３から請求項５のいずれか一項に記載のハイブリッド給湯システム。
【発明の詳細な説明】
【技術分野】
【０００１】
本発明は、第一加熱手段及び第二加熱手段を備えるハイブリッド給湯システムに関する。
【背景技術】
【０００２】
下記特許文献１の図２に開示された従来のハイブリッド給湯システムは、温水を貯湯する貯湯タンク（３）と、ヒートポンプ回路の凝縮器からの放熱を熱交換して、貯湯タンク（３）内の温水を循環加熱するヒートポンプ給湯手段（２）と、貯湯タンク（３）から給湯される温水を貯湯し、給湯負荷へ供給する補助貯湯タンク（５）と、補助貯湯タンク（５）の温水を循環加熱する補助給湯手段であるガス焚給湯機（４）とを備え、貯湯タンク（３）から補助貯湯タンク（５）に至る給湯往路が、補助貯湯タンク（５）の下部に設置された給水入口（５５）に接続されており、給湯負荷が発生した場合には、貯湯タンク（３）からの温水が補助貯湯タンク（５）の下部に設置された給水入口（５５）から補給され、補助貯湯タンク（５）の上部に設置された給湯出口（５３）から給湯負荷に対して給湯可能に構成されている。
【先行技術文献】
【特許文献】
【０００３】
【特許文献１】特開２０１０−２５４９９号公報
【発明の概要】
【発明が解決しようとする課題】
【０００４】
上記特許文献１のシステムでは、補助貯湯タンク（５）内の下部に給水源からの低温水が溜まった場合には、当該低温水をガス焚給湯機（４）で加熱して給湯負荷へ供給した後でなければ、貯湯タンク（３）内の湯を給湯負荷へ供給できない。このため、エネルギーコストの高いガス焚給湯機（４）の使用が増え、エネルギー効率の高いヒートポンプ給湯手段（２）で生成された貯湯タンク（３）内の湯を有効に利用することができず、エネルギー効率が低下し、ランニングコストが高くなる。
【０００５】
本発明は、上述のような課題を解決するためになされたもので、第二加熱手段で生成した湯をより有効に活用できるハイブリッド給湯システムを提供することを目的とする。
【課題を解決するための手段】
【０００６】
本発明に係るハイブリッド給湯システムは、給湯負荷に接続される第一タンクと、第一タンクの水を加熱する第一加熱手段と、給水流路を介して給水源に接続される第二タンクと、第二タンクの水を加熱する第二加熱手段と、第二タンクの水を第一タンクへ導くタンク間流路と、給水流路から分岐し、タンク間流路とは別に第一タンクに接続されるバイパス流路と、バイパス流路を開閉する開閉弁と、バイパス流路に設けられ、第一タンクから給水流路へ水を送るポンプと、を備えたものである。
【発明の効果】
【０００７】
本発明のハイブリッド給湯システムによれば、第二加熱手段で生成した湯をより有効に活用することが可能となる。
【図面の簡単な説明】
【０００８】
【図１】本発明の実施の形態１のハイブリッド給湯システムを示す構成図である。
【図２】本発明の実施の形態１のハイブリッド給湯システムにおいて、第一タンク蓄熱動作及び第二タンク蓄熱動作により、第一タンク及び第二タンク内の水をすべて８０℃に加熱した状態を示す図である。
【図３】本発明の実施の形態１のハイブリッド給湯システムにおいて、給湯負荷から出湯するときの状態を示す図である。
【図４】本発明の実施の形態１のハイブリッド給湯システムにおいて、バイパス流路の開閉弁を開き、第二タンク蓄熱動作を実施している状態を示す図である。
【図５】本発明の実施の形態１のハイブリッド給湯システムにおいて、図４の状態から、第一タンク内の湯が消費され、第二タンク内の湯が増加した状態を示す図である。
【図６】本発明の実施の形態１のハイブリッド給湯システムにおける入れ替え動作時の状態を示す図である。
【発明を実施するための形態】
【０００９】
以下、図面を参照して本発明の実施の形態について説明する。なお、各図において共通する要素には、同一の符号を付して、重複する説明を省略する。なお、本明細書で「水」とは、冷水に限らず、温水、湯など、あらゆる温度の水を含む概念である。
【００１０】
実施の形態１．
図１は、本発明の実施の形態１のハイブリッド給湯システムを示す構成図である。図１に示すように、本実施の形態１のハイブリッド給湯システム１は、ボイラ２、第一タンク３、第二タンク５、ヒートポンプ装置６、制御手段３０、及び操作手段３１を備える。制御手段３０は、例えばマイクロコンピュータ等を用いて構成される。制御手段３０は、ＲＯＭ、ＲＡＭ、不揮発性メモリ等を含む記憶部と、記憶部に記憶されたプログラムに基いて演算処理を実行する演算処理装置（ＣＰＵ）と、演算処理装置に対して外部の信号を入出力する入出力ポートとを有する。ハイブリッド給湯システム１が備えるアクチュエータ類及びセンサ類は、制御手段３０に電気的に接続される。操作手段３１は、制御手段３０と通信可能に接続される。使用者は、操作手段３１を操作することで、給湯温度、加熱温度、貯湯温度、貯湯量、即湯循環の動作、バイパス流路２０によるバイパスの要否、バイパスポンプ２２の動作などに関する設定を行うことができる。制御手段３０は、センサ類の検知値及び操作手段３１からの信号などに基づいて、ハイブリッド給湯システム１の動作を制御する。
【００１１】
第一タンク３内には、水が貯留される。第一タンク３内には、温度による水の密度差により、上側が高温で下側が低温になる温度成層を形成できる。第一タンク３は、ボイラ循環流路１３を介して、ボイラ２に接続される。ボイラ循環流路１３は、第一タンク３の下部とボイラ２の水入口とを接続し、かつ、ボイラ２の水出口と第一タンク３の上部とを接続する。ボイラ２は、例えばガス、灯油、重油、石炭、その他の燃料を燃焼させることで、水を加熱する。ボイラ循環流路１３上には、水を送るボイラ循環ポンプ１４が設けられている。第一タンク３の水を加熱する場合には、ボイラ２及びボイラ循環ポンプ１４を働かせる。この場合、第一タンク３の下部から水がボイラ２に導かれ、ボイラ２で加熱された水が第一タンク３の上部に流入することで、第一タンク３内の貯湯量及び蓄熱量が増加する。このようにしてボイラ２の加熱により第一タンク３内の貯湯量及び蓄熱量を増加させる動作を以下「第一タンク蓄熱動作」と称する。本実施の形態１では、ボイラ２、ボイラ循環流路１３、及びボイラ循環ポンプ１４が第一加熱手段に相当する。
【００１２】
ボイラ循環流路１３と、第一タンク３の上部との接続部分の近傍には、ボイラ２で加熱された後の水の温度を検知するボイラ加熱温度センサ１３ａが設けられている。第一タンク３には、第一タンク温度センサ３ａが取り付けられている。第一タンク温度センサ３ａは、高さが異なる位置に配置された複数の温度センサを含む。第一タンク温度センサ３ａにより、第一タンク３内の高さ方向の温度分布を検知できる。制御手段３０は、第一タンク温度センサ３ａで検知される温度分布に基づいて、第一タンク３の貯湯量（残湯量）、貯湯温度、及び蓄熱量を演算できる。制御手段３０は、第一タンク蓄熱動作のとき、ボイラ２及びボイラ循環ポンプ１４の動作を制御することで、ボイラ２による加熱温度及び第一タンク３の貯湯量を制御できる。
【００１３】
第一タンク３は、給湯管１２を介して、給湯負荷４に接続される。給湯負荷４は、例えば、蛇口、シャワーなどの出湯端末である。給湯管１２は、第一タンク３の上部と、給湯負荷４との間を接続する。即湯循環流路２５の一端は、給湯負荷４に近い位置で給湯管１２に接続される。即湯循環流路２５の他端は、第一タンク３の下部または中間部に接続される。即湯循環流路２５上には、即湯循環ポンプ２６が設けられている。即湯循環ポンプ２６の動作は、制御手段３０により制御される。即湯循環ポンプ２６を働かせることで、第一タンク３の上部から給湯管１２を通って給湯負荷４に近い位置まで導かれた湯が、即湯循環流路２５を通って第一タンク３の下部または中間部に戻るように循環する。このように湯水を循環させることで、給湯負荷４に近い位置までの給湯管１２の温度を第一タンク３の上部に等しい温度に維持できるので、給湯負荷４の水栓を開いたときに即座に適温の湯を出すことができる。ただし、本発明では、このような即湯循環流路２５及び即湯循環ポンプ２６を備えない構成にしても良い。
【００１４】
第二タンク５内には、水が貯留される。第二タンク５内には、温度による水の密度差により、上側が高温で下側が低温になる温度成層を形成できる。第二タンク５は、ヒートポンプ循環流路７を介して、ヒートポンプ装置６に接続される。図示を省略するが、ヒートポンプ装置６は、冷媒を圧縮する圧縮機、圧縮機で圧縮された高温高圧の冷媒と水とを熱交換させる水−冷媒熱交換器、冷媒を減圧させる減圧装置、及び、低温熱源（例えば大気）の熱を冷媒に吸収させる低温側熱交換器（蒸発器）を含む冷媒回路を備える。ヒートポンプ装置６は、この冷媒回路でヒートポンプサイクル（冷凍サイクル）の運転を行うことで水を加熱する。ヒートポンプ循環流路７は、第二タンク５の下部とヒートポンプ装置６（水−冷媒熱交換器）の水入口とを接続し、かつ、ヒートポンプ装置６（水−冷媒熱交換器）の水出口と第二タンク５の上部とを接続する。ヒートポンプ循環流路７上には、水を送るヒートポンプ循環ポンプ８が設けられている。第二タンク５の水を加熱する場合には、ヒートポンプ装置６及びヒートポンプ循環ポンプ８を働かせる。この場合、第二タンク５の下部から水がヒートポンプ装置６に導かれ、ヒートポンプ装置６で加熱された水が第二タンク５の上部に流入することで、第二タンク５内の貯湯量及び蓄熱量が増加する。このようにしてヒートポンプ装置６の加熱により第二タンク５内の貯湯量及び蓄熱量を増加させる動作を以下「第二タンク蓄熱動作」と称する。本実施の形態１では、ヒートポンプ装置６、ヒートポンプ循環流路７、及びヒートポンプ循環ポンプ８が第二加熱手段に相当する。
【００１５】
ヒートポンプ循環流路７と、第二タンク５の上部との接続部分の近傍には、ヒートポンプ装置６で加熱された後の水の温度を検知するヒートポンプ加熱温度センサ７ａが設けられている。第二タンク５には、第二タンク温度センサ５ａが取り付けられている。第二タンク温度センサ５ａは、高さが異なる位置に配置された複数の温度センサを含む。第二タンク温度センサ５ａにより、第二タンク５内の高さ方向の温度分布を検知できる。制御手段３０は、第二タンク温度センサ５ａで検知される温度分布に基づいて、第二タンク５の貯湯量（残湯量）、貯湯温度、及び蓄熱量を演算できる。制御手段３０は、第二タンク蓄熱動作のとき、ヒートポンプ装置６及びヒートポンプ循環ポンプ８の動作を制御することで、ヒートポンプ装置６による加熱温度及び第二タンク５の貯湯量を制御できる。
【００１６】
給水流路１０の一端は、水道等の給水源に接続される。給水流路１０の他端は、第二タンク５の下部に接続される。給水源からの水は、給水流路１０を通って、第二タンク５の下部に流入する。タンク間流路１１の一端は、第二タンク５の上部に接続される。タンク間流路１１の他端は、第一タンク３の下部に接続される。第二タンク５の湯を、タンク間流路１１を通して、第一タンク３へ導くことができる。
【００１７】
バイパス流路２０の一端は、給水流路１０に接続される。バイパス流路２０の他端は、タンク間流路１１とは別に、第一タンク３の下部に接続される。バイパス流路２０は、タンク間流路１１との重複部分を持たない、独立した流路である。バイパス流路２０は、第二タンク５を介さずに、給水源と第一タンク３とを直接接続する流路となる。給水源からの水を、バイパス流路２０に通すことで、第二タンク５を介さずに、第一タンク３の下部に直接供給できる。バイパス流路２０には、バイパス流路２０を開閉する開閉弁２１と、バイパスポンプ２２とが設けられている。バイパスポンプ２２は、第一タンク３側から給水流路１０側に向かってバイパス流路２０の水を送る。
【００１８】
次に、本実施の形態１のハイブリッド給湯システム１の動作についてさらに説明する。本実施の形態１のハイブリッド給湯システム１では、第一タンク蓄熱動作を行うことで、第一タンク３内の水を目標貯湯温度に加熱することが可能である。また、第二タンク蓄熱動作を行うことで、第二タンク５内の水を目標貯湯温度に加熱することが可能である。以下の説明では、第一タンク３及び第二タンク５の目標貯湯温度を、共に８０℃と仮定する。図２は、本実施の形態１のハイブリッド給湯システム１において、第一タンク蓄熱動作及び第二タンク蓄熱動作により、第一タンク３及び第二タンク５内の水をすべて８０℃に加熱した状態を示す図である。ヒートポンプ装置６は、電力で駆動される。ヒートポンプ装置６は、例えば深夜電力など、コストが割安な電力で駆動することが望ましい。すなわち、第二タンク蓄熱動作は、電力コストが割安になる時間帯（深夜時間帯など）に実施することが望ましい。第二タンク蓄熱動作の運転条件（ヒートポンプ装置６による加熱温度等）は、ヒートポンプサイクルのＣＯＰ（成績係数）が良好となるような条件にすることが望ましい。
【００１９】
図３は、本実施の形態１のハイブリッド給湯システム１において、給湯負荷４から出湯するときの状態を示す図である。以下の説明では、給水源から供給される低温水の温度を２０℃と仮定する。図３では、バイパス流路２０の開閉弁２１は閉じられている。図３に示すように、給湯負荷４の水栓が開かれた場合には、給水源の水圧により、給水流路１０から２０℃の低温水が第二タンク５の下部に流入し、第二タンク５の上部の８０℃の湯がタンク間流路１１へ押し出されて第一タンク３の下部に流入し、第一タンク３の上部の８０℃の湯が給湯管１２へ押し出されて給湯負荷４へ供給される。このようにして給湯負荷４から出湯することで、第二タンク５の下部側には、給水源からの２０℃の低温水が徐々に溜まっていく。
【００２０】
第二タンク５の貯湯温度が、給湯負荷４で必要な給湯温度以上である場合には、図３のようにして、第二タンク５に貯えられた湯を、第一タンク３を経由して、そのまま給湯負荷４へ供給できる。一方、第二タンク５の貯湯温度が、給湯負荷４で必要な給湯温度未満である場合には、まず、図３のようにして、第二タンク５に貯えられた湯を第一タンク３へ移す。その後、第一タンク蓄熱動作を行うことで、第二タンク５から第一タンク３へ移された湯の温度を、給湯負荷４で必要な給湯温度以上に加熱する。このように、第二タンク５の貯湯温度が、給湯負荷４で必要な給湯温度未満である場合には、ボイラ２による補助加熱を行うことで、給湯負荷４で必要な給湯温度を満足できる。
【００２１】
ヒートポンプサイクルを利用する第二タンク蓄熱動作のエネルギー効率は、ボイラ２を用いる第一タンク蓄熱動作のエネルギー効率に比べて優れている。本実施の形態１によれば、エネルギー効率に優れた第二タンク蓄熱動作で第二タンク５に貯えた湯の温度が、給湯負荷４で必要な給湯温度に満たない場合にも、上記のようにしてボイラ２による補助加熱を行うことで、当該湯を有効に利用できる。このため、エネルギー効率に優れた第二タンク蓄熱動作で生成した湯を十分に利用することができ、全体としてのエネルギー効率を向上でき、ランニングコストも低減できる。
【００２２】
図４は、本実施の形態１のハイブリッド給湯システム１において、バイパス流路２０の開閉弁２１を開き、第二タンク蓄熱動作を実施している状態を示す図である。制御手段３０は、第二タンク温度センサ５ａで検知される第二タンク５内の残湯量または蓄熱量が第一閾値以下にまで低下した場合には、バイパス流路２０の開閉弁２１を開き、第二タンク蓄熱動作を実施する。上記第一閾値とは、第二タンク５内の湯がほぼ無くなった湯切れ状態に相当する値である。図４に示す状態で、給湯負荷４の水栓が開かれた場合には、給水源の水圧が給水流路１０及びバイパス流路２０を介して第一タンク３に作用することで、給水流路１０からの２０℃の低温水が第一タンク３の下部に流入し、第一タンク３の上部の８０℃の湯が給湯管１２へ押し出されて給湯負荷４へ供給される。このように、本実施の形態１によれば、第二タンク５内の湯が無くなった場合には、第一タンク３の湯を用いて給湯負荷４へ出湯しつつ、その間に第二タンク蓄熱動作を実施できる。このため、第二タンク５内に再び湯を貯え、当該湯を利用可能な状態にできる。よって、エネルギー効率に優れた第二タンク蓄熱動作で生成した湯を十分に有効利用することができ、全体としてのエネルギー効率を向上でき、ランニングコストも低減できる。
【００２３】
図４の状態で使用していると、第一タンク３内の湯は消費されることで減少し、第二タンク５内の湯は第二タンク蓄熱動作によって増加する。図５は、本実施の形態１のハイブリッド給湯システム１において、図４の状態から、第一タンク３内の湯が消費され、第二タンク５内の湯が増加した状態を示す図である。図５の状態では、第一タンク３内の下部には、給水源からの２０℃の低温水が、給湯負荷４からの出湯量に対応した量だけ溜まっている。一方、第二タンク５内の湯は、第二タンク蓄熱動作により、徐々に増加していく。図５の状態において、制御手段３０は、第二タンク温度センサ５ａで検知される第二タンク５内の貯湯量または蓄熱量が第二閾値以上にまで増加した場合には、第一タンク３内の下部の低温水と、第二タンク５内に貯えられた湯とを入れ替える動作（以下、単に「入れ替え動作」と称する）を行う。上記第二閾値とは、第二タンク５内に十分な量の湯が貯えられた状態に相当する値である。
【００２４】
図６は、本実施の形態１のハイブリッド給湯システム１における入れ替え動作時の状態を示す図である。入れ替え動作時には、制御手段３０は、バイパス流路２０の開閉弁２１を開いた状態とし、バイパスポンプ２２を駆動する。また、ヒートポンプ装置６及びヒートポンプ循環ポンプ８を停止する。図６に示すように、入れ替え動作では、第一タンク３内の下部に溜まった２０℃の低温水が、バイパス流路２０及び給水流路１０を通って、第二タンク５の下部へ移送されるとともに、第二タンク５の上部に貯えられた８０℃の湯がタンク間流路１１を通って第一タンク３へ移送される。タンク間流路１１から第一タンク３の下部に流入した８０℃の湯は、浮力により、第一タンク３の下部の低温水層の上側へ上昇し、第一タンク３に元々あった８０℃の湯に混合する。これにより、第一タンク３の貯湯量が増加する。
【００２５】
本実施の形態１によれば、図４及び図５の状態で給湯負荷４へ出湯することで第一タンク３内の下部に低温水が溜まった場合に、上述した入れ替え動作を実施し、第二タンク５に貯えた湯を第一タンク３内に移すことで、第一タンク３内の湯を補充できる。これにより、第一タンク３内の下部に溜まった低温水をエネルギー効率の低いボイラ２で加熱することに代えて、エネルギー効率に優れた第二タンク蓄熱動作で生成した湯を十分に有効利用することができる。その結果、全体としてのエネルギー効率を向上でき、ランニングコストも低減できる。
【００２６】
また、本実施の形態１のハイブリッド給湯システム１では、深夜電力等の割安な電力で第二タンク５内の水を加熱し、給湯負荷４が開かれて給水源からの低温水が第二タンク５の下部に供給されることで、第二タンク５内の加熱された湯が第一タンク３側へ押し出されて第一タンク３内に移動した後、第二タンク５内の水を再び加熱しても良い。このような一連の動作は、第一タンク温度センサ３ａ及び第二タンク温度センサ５ａの検知温度と、操作手段３１で設定された条件とに基づいて、制御手段３０が制御することで行われる。このような制御手段３０を設けたことで、給湯負荷４への給湯を常に安定して実施可能になるように制御できる。
【００２７】
給湯負荷４からの出湯が短時間に集中した場合などに、第一タンク３の残湯量及び第二タンク５の残湯量が共に湯切れ基準値を下回ることが起こる可能性がある。その際には、制御手段３０は、給湯負荷４からの出湯要求を満足させるために、ボイラ２及びヒートポンプ装置６を同時に動作させる制御を行ってもよい。すなわち、第一タンク蓄熱動作と第二タンク蓄熱動作とを並行して実施しても良い。ボイラ２及びヒートポンプ装置６のいずれか一方を動作させる場合に比べて、ボイラ２及びヒートポンプ装置６を同時に動作させることで、単位時間当たりの湯の生成量を増加させることができるので、給湯負荷４からの出湯要求に対し、より確実に対応できる。このときの加熱方法としては、ヒートポンプ装置６の加熱温度を比較的低い温度（例えば６５℃）とすることでより高効率の加熱を行い、給湯負荷４で必要な給湯温度に対し不足する分をボイラ２で加熱しても良い。あるいは、ヒートポンプ装置６の加熱温度を給湯負荷４で必要な給湯温度以上にしても良い。後者の方法は、前者の方法に比べて、単位時間当たりの湯の供給能力が増大する一方、エネルギーコストが増加する。
【００２８】
ヒートポンプ装置６の加熱能力（単位時間当たりの加熱量）は、深夜時間帯（一般には８時間）の間に第二タンク５の全体を加熱できる能力を前提として設定されることが一般的である。給湯負荷４への給湯中に、第二タンク５が湯切れ状態になった場合、ヒートポンプ装置６の加熱能力では給湯負荷に対応できない可能性がある。そのような場合には、制御手段３０は、開閉弁２１を開き、給水源からバイパス流路２０を介して第一タンク３に給水し、ボイラ２による加熱（第一タンク蓄熱動作）を行うように制御してもよい。給水源からバイパス流路２０を介して第一タンク３に給水する場合には、給湯負荷４への流路から第二タンク５を隔離できるので、第二タンク５を経由する流路上で生じる圧力損失をなくすことができ、給湯負荷４からの給湯がよりスムーズに行える。その間に、第二タンク蓄熱動作を実施することで、第二タンク５に湯を貯えることが可能となる。
【００２９】
制御手段３０は、第二タンク５が湯切れ状態になった場合だけでなく、ヒートポンプ装置６または第二タンク５が故障またはメンテナンスの状態のときに、開閉弁２１を開き、給水源からバイパス流路２０を介して第一タンク３に給水し、ボイラ２による加熱（第一タンク蓄熱動作）を行うように制御してもよい。これにより、第二タンク５を経由する流路上で生じる圧力損失をなくすことができ、給湯負荷４からの給湯がよりスムーズに行える。
【００３０】
本実施の形態１では、第一加熱手段はボイラ２を用いた構成とし、第二加熱手段はヒートポンプ装置６を用いた構成としているが、本発明における第一加熱手段及び第二加熱手段はこのような構成に限定されるものではない。本発明において、第一加熱手段は、第二加熱手段に比べて、加熱能力（時間当たりの加熱量）が高いものであることが望ましい。また、第二加熱手段は、第一加熱手段に比べて、エネルギー効率が高いか、またはエネルギーコストが低いものであることが望ましい。
【符号の説明】
【００３１】
１  ハイブリッド給湯システム、２  ボイラ、３  第一タンク、３ａ  第一タンク温度センサ、４  給湯負荷、５  第二タンク、５ａ  第二タンク温度センサ、６  ヒートポンプ装置、７  ヒートポンプ循環流路、７ａ  ヒートポンプ加熱温度センサ、８  ヒートポンプ循環ポンプ、１０  給水流路、１１  タンク間流路、１２  給湯管、１３  ボイラ循環流路、１３ａ  ボイラ加熱温度センサ、１４  ボイラ循環ポンプ、２０  バイパス流路、２１  開閉弁、２２  バイパスポンプ、２５  即湯循環流路、２６  即湯循環ポンプ、３０  制御手段、３１  操作手段
【図１】
2016040498.tif 000003
【図２】
2016040498.tif 000004
【図３】
2016040498.tif 000005
【図４】
2016040498.tif 000006
【図５】
2016040498.tif 000007
【図６】
2016040498.tif 000008